(57)【要約】　　　（修正有）【課題】重量のある電子機器組立部品の搬送ができる緩衝機能をもつ包装であり、搬送仕分け店頭展示等の諸処理過程において搬送品をいつでも外部から確認なし得る包装具を提供する。【解決手段】両サイドに枠梁を形成しそのＣチャンネル状の腹に中窓を設け、そこに腹長手方向に張った透明なエラスチックフイルムに装入した搬送品５を沈み込みよう宙づりに展張せしめ、長手方向両端をＣチャンネルの脚とした緩衝包装具１０全体を、鞘殻を成し大きな空き窓を持たせた外箱６内に嵌め込むように挿入する。【選択図】　　図４
0003100540.tif 000002
【実用新案登録請求の範囲】
【請求項１】
　１０緩衝包装具は、搬送物より一回り大きな１２中窓を有する方形の１１枠板の長手方向両側に１３裏折り目を介して長方形の１４止板を配し、１１枠板の両幅方向に１５表折り目を介し１６腰板をもつが、その１６腰板はその長手方向に１７表腰折り目を夾んで１６ａ腰枠板と１６ｂ腰はね板と繋がっている。この１０緩衝包装具の両端の１４止板に等しい長さで二つ折りにして両１６腰板間隔よりやや短か目の透明なポリウレタン系エラストマーからなる３フィルムを載せる。１２中窓を塞ぐようにおいた３フイルムの両端を僅かにじらすように２クリップでもって１１枠板に当フイルム両端を固定する。
　かように構成し使用時に搬送物を２枚重ねを成すような３フイルム間に夾み、二つの１４止板を２クリップ３フイルムごと下側に直角に折り曲げ、１１枠板の幅端側の１６ａ腰枠板を上側にほぼ直角に曲げ、さらに１６ｂ腰はね板とを内側に直角にまで屈曲させてＣチャンネル状の枠梁を形成せしめかつ搬送品を２枚のハンモックで１２中窓内に宙づりにした形で、大きな６２抜き窓をもつ鞘状の６外箱に嵌合挿入できることを特徴とする緩衝クリア包装具。
【考案の詳細な説明】
【技術分野】
【０００１】
　本考案は、生産工場で包装したものが外部から製品を随時確認できる形で行える耐衝撃性に富む緩衝クリア包装具に関するものである。
【背景技術】
【０００２】
　商品の包装形態はいろいろではあるが、生産現場で個別に包装したものを纏めて地区別になった集配工場で振り分けられて販売先へと搬送されるが、荷として集配倉庫や積み卸し先で毎回商品としての確認が成される。このため、見やすい配送伝票やバーコードやワイヤレスタグチップなどと多彩な工夫が成されている。しかし、この処理能率最優先方式は、商品によってはモノと工数面でコスト割れもあり歓迎されているわけではない。
　また、配送分別しやすさと商品魅力広報の面からなど、運配送中・仕分け時・開梱時・展示時・販売時いつでも商品の姿の大半が見える荷姿を求める要望も大きい。
　販売店頭でも、愛玩品や装身具あるいは小物電子機器からお菓子まで、完全に透明なプラスチックフィルム材の角箱や円筒に納めて販売されている商品も多い。
　ただし、これらは商品利幅の大きい物品か、片手に持てる小さな商品が多い。やはり、費用が原因であろうと推測される。
【０００３】
　本考案の意図するものの先例を検索すべく特許庁電子図書館の豊富な検索機能をフルに活用してみたが、緩衝または耐衝撃と、包装または搬送または運送または容器または箱または紙器と、見通しまたは展示または陳列または透明または搬送サイズ可変または搬送サイズ変更、の３グーループの各キィワードを個々に共有できる発明考案例は得られなかった。
　しかし、同じ容器でもって或る幅の搬送品サイズのものに使える事と緩衝搬送との２項目で志向を同じにするものが数十件存在することが判明した。
　その典型的な考え方は次の２例に示されていた。
【特許文献１】特開２００３−２５２３７５公報
【特許文献２】特開２００３−２５２３７６公報　前者は、緩衝性のある素材から成る容器内の仕切位置または搬送物接触位置を変えられるようにすることで、後者は容器内で搬送物の上下左右を囲周する空気緩衝袋など内の空気量を調整することで、所期の目的を達成している。が、どちらも、外部から搬送品が何であるかを見て判断することができないのが、本考案の意図と異なる。
【考案の開示】
【考案が解決しようとする課題】
【０００４】
　解決しようとする主題は、電子機器組み立て部品のような重いのに衝撃に比較的弱い物品の流通搬送に十分耐える緩衝であり、副題は広い開口部または抜き窓を用意するにしても材料の板材など面積をできるだけ小さくすることと組み立て工数の減少である。この結果として包装外部から搬送品を見分けられる効果をも期待している。
【課題を解決するための手段】
【０００５】
　工場出荷からエンドユーザーの手に渡るまで荷姿を変えずに済むので、耐振動のために搬送品を弾性に富み可撓性の豊かなポリウレタン系エラストマーフイルムを二つ折りにして袋状と成し、このフイルムを透明なハンモック代わりにして、支持枠に宙づりにすることとし、これを張る容器は堅く厚めで屈曲に強い折り目のある枠を主体とし、全体を内容の透視できる広い開口部を有する外箱で補強すると共に、外形を前後左右上下ともに方形になるよう纏めた。
【考案の効果】
【０００６】
　本考案の緩衝クリア包装具は、厚めのＡ段ボールやプラスチック系段ボールに複数の折り目を付したことで、比重の高い電子機器組み立て品を柔軟で透明なフイルムで宙づり状に伸張支持しても、両翼に枠を成形した枠板の撓りや曲げも発生せず、搬送品は搬送品が収まるだけの中窓内を振動でハンモック内を上下できるだけなので、搬送品には擦り傷も発生しなかったし、また、横方向は枠の中窓縁でフイルムを介して当たり緩衝できた。
　外箱は緩衝包装具の枠構造を保持する機能で十分であり、軽い搬送品では強度を今日呂する必要もないと観察できた。
　また、在来外箱の窓に張っていたセロファン紙や硬質プラスチックフイルムは不要となるメリットもある。
　さらに、必要なら鞘を成す両方向に抜き窓を作成しても、中軽量搬送品には十分適用できると判断できた。
【考案を実施するための最良の形態】
【０００７】
　形状的には「課題を解決するための手段」で述べたこと尽きる。本考案の実施に必要なのは、枠の長さと強度と段ボール材質を一意に把握できる関係式の構築であって、経験と素材の属性データの集積が必要であり、また、市販されているポリウレタン系エラストマーフィルムは製造メーカーにより多彩な物理的化学的性状を示すので、応用次第では広い範囲の搬送に適用できると考えられるものの、搬送品を落とし込む中窓の間隙と段ボール材厚さと搬送物展張代（しろ）の関係を究めるのが簡単ではない。
【実施例１】
【０００８】
　本考案は、大きく分けて二つのもので構成される。
　その１は、１０緩衝包装具であり、図１：緩衝包装具の構成図と図２：緩衝包装具の折り曲げ形状の図と図３：緩衝包装具による包装例との三図の説明で下段に詳述する。
　その２は６外箱であって、図４：外箱説明図によ下段においてり簡潔に記述した。
【０００９】
　図１：緩衝包装具の構成図は、１０緩衝包装具が１１枠板１枚と２ヶの２クリップと３フイルムを二つ折りにしたもの１枚から成る構成を説明すると共に、１０緩衝包装具が１１枠板１枚が１２中窓・１３裏折り目・１４止板・１５表折り目・１６腰板・１７表腰折り目の各部位から成ることを示す。
　１１枠板は厚紙・段ボール材・カートン紙やプラスチック段ボールなどの素材を太い十字状に成形したもので、方形をなす折り目を設けてある。長手方向には１３裏折り目を両端側に突き出した矩形の根本に置き、幅方向への矩形の根本に１５表折り目とさらにその外側に１７表腰折り目をエンボス加工してある。
【００１０】
　すなわち、１６腰板が１７表腰折り目を介して１６ａ腰枠板と１６ｂ腰はね板に区画されているので、この幅方向の１５表折り目二ヶと１７表腰折り目二ヶと系四ヶの折り目すべてを折り方向に直角に屈曲させてときには、図２：緩衝包装具の折り曲げ形状の図の前後に示したように、１１枠板は上方向が開いたＣチャンネル形状をなし長手方向の曲げに強い梁枠と化するようにした。
　この際の強度は、長手方向の長さに反比例し、１６ａ腰枠板の有効高さすなわち１６ａ腰枠板高さから板材厚さを引いた値の３乗に比例する事になる。
【００１１】
　一方、１０緩衝包装具の長手方向全長にわたり１枚のフィルムで覆うが図１：緩衝包装具の構成図に３フイルムを図手前側に反転させて示したように、長手方向横幅を殆ど占めるサイズに二つ折りにしてしかも３フイルム両幅端部の一端で表面側の端を僅かに短目にずらせておいて１４止板に重ねて２クリップで銜え固着しておき、１１枠板の長手方向の中にある１１板枠のほぼ中心に位置するようくり抜いた１２中窓を含めて１１枠板の反対側の端までカバーするサイズとしてここも２クリップで銜え固定する。
　これを、使用時には図２：緩衝包装具の折り曲げ形状の図の左右に見るように、１３裏折り目に従って下部に直角に折り曲げるが、長手方向の両端ともに１４止板を３フイルム端部を銜えた２クリップごとに屈曲させる。この折り曲げによって、１１枠板の幅方向の両端部を１６ｂ腰はね板と１６ａ腰枠板によって成形されたＣチャンネルの枠梁をなす１１枠板の反りや撓み発生を強固に阻止できると共に、１０緩衝包装具の８縦端面がなす仮装形状を歪みの少ない方形箱方に保持できる。
【００１２】
　このさい、３フイルムの両端は２クリップされているために多少展伸張されて、短くシフトさせた３フイルム幅側端面で長手方向の中央に張った４引き手タブが上方中央端部に現れ、図２：緩衝包装具の折り曲げ形状の図の中段をなす１１枠板表面に形成された３フイルム袋を開きやすくする。
　包装対象を仮に弁当箱状の５搬送品として画いた図３：緩衝包装具による包装例は、図２：緩衝包装具の折り曲げ形状の図の中段をなす１１枠板表面に形成された３フイルム袋を開いて５搬送品を装入し、４引き手タブ上方から袋の開封口側をセロファンテープのような粘着テープで部分的にシールしたものである。
　この５搬送品封入は、５搬送品の厚さにより５搬送の上下表面に位置する３フィルムを左右に展張せしめると共に、１１枠板長手方向の５搬送品の左右は１２中窓の縁によって３フイルム下面を上下にも局部的に展張させるが、このさい、５搬送品周りが５搬送品外周より１周り大きめに作られた１２中窓となす間隔によって、５搬送品は１１枠板の１２中窓内に多少落ち込むために各方向からの衝撃から護られるようになる。
【００１３】
　外部からの衝撃外力による変形には、この１０緩衝包装具を６外箱に収納することによって、１０緩衝包装具の枠梁構造が保持されるので、より強固なものになる。
　図４：外箱説明図に示すように６外箱は１０緩衝包装具を納める鞘状の外殻として作用するように構成することが肝要であって、必要や耐変形強度要求などに応じて６３折蓋を設けてもかまわないが、必至ではない。
　また、本考案の目的の一つ、外部から内部の搬送品が認識しやすいできれば商品魅力も伝えたいための６２空窓は目的に添う形のデザインとサイズで設けるものとする。
【００１４】
　下方への衝撃外力に対しては、下表面に位置する３フイルムの左右への展張弾性によって一時的な窓内下への移動を許すだけで、その移動量も１４止板がなす高さに達することを許さない３フイルム厚さの設計や事前試験が用意されている。
　上方への衝撃外力に対しても、３フイルムの左右への展張弾性によって一時的な窓内上方向への跳ね上がり移動を許すだけで、その移動量も１６ａ腰枠板がなす高さに達することを許さない３フイルム厚さの設計や事前試験がなされている。
　左右前後への衝撃外力に対しては、５搬送品周りが１２中窓となす間隔によって、最悪の際５搬送品は１２中窓縁に当たるが１１枠板のそざいである段ボール構造の可撓性内によって衝撃力は落ち込み、しかも、３フイルムの左右への展張弾性によって減殺された外力となっての縁への衝突であり、５搬送品の許容衝撃力を越えないことを確認する段ボール厚さや１１枠板サイズの設計や事前試験が済んでいる。
　これにより本考案品の緩衝能力は５搬送品に対応十分であると言える。
【００１５】
　また、上段に既述したように、この５搬送品装入済み１０緩衝包装具は６外箱に収めて搬送するのを前提としており、それによって１０緩衝包装具の枠梁形状が保持する事による効果の１は、薄い紙材による場合でも鞘外郭の４辺が直角に屈曲して成すフレームは１０緩衝包装具両サイドの枠変形を防止するので、大きな５搬送品ほど強くなる３フイルムの長手方向弾力により生ずる枠梁曲げ応力への対抗力を大幅に増強する。
　６外箱に収めたことにる１０緩衝包装具の枠梁形状が保持する事による効果の２は、鞘材が薄いときには耐衝撃力を多少増すものの安全率を大きく高めるほどではない。しかし段ボール材などを工夫した際には、５搬送品装入後の１０緩衝包装具全体の耐衝撃力を倍増させることはたやすい。
【産業上の利用可能性】
【００１６】
　両サイドに枠梁を形成しそのＣチャンネル状の腹に中窓を設け、そこに腹長手方向に張った透明なエラスチック３フイルムに装入した５搬送品を沈み込みよう宙づりに展張せしめ、長手方向両端をＣチャンネルの脚とした１０緩衝包装具全体を、鞘殻を成し大きな空き窓を持たせた６外箱内に嵌め込むように挿入するあたらしい緩衝クリア包装具方式は、
（１）搬送に十分な緩衝力を生ずる包装となり、
（２）搬送仕分け店頭展示等の諸処理過程において搬送品をいつでも外部から確認なし得る包装であり、
かつ、（３）１２中窓内に収まるなら多少のサイズ変更でも使える半ば汎用性のある包装方法となり、
（４）商品陳列にも転用できて、
（５）材料構成も少なく勝つ低工数で処理できる。
【図面の簡単な説明】
【００１７】
【図１】緩衝包装具の構成図
【図２】緩衝包装具の折り曲げ形状の図
【図３】緩衝包装具による包装例
【図４】外箱説明図
【符号の説明】
【００１８】
　１０　緩衝包装具
　１１　枠板
　１２　中窓
　１３　裏折り目
　１４　止板
　１５　表折り目
　１６　腰板
　１６ａ腰枠板
　１６ｂ腰はね板
　１７　表腰折り目
　２　　クリップ
　３　　フイルム
　４　　引き手タブ
　５　　搬送品
　６　　外箱
【図１】
0003100540.tif 000003
【図２】
0003100540.tif 000004
【図３】
0003100540.tif 000005
【図４】
0003100540.tif 000006